(57)【特許請求の範囲】
【請求項１】
カードが載置される略方形の第１凹部を有する平板状のトレイと、
プリント基板の端部に配置され、前記トレイが進退可能な第２凹部を有する平板状のハウジングと、
このハウジングの第２凹部を覆うカバー板と、
前記ハウジングに配列され、前記カードの一方の面に設けた接続端子と前記プリント基板とを電気的に接続する複数の片持ち状のコンタクトと、を備え、
前記トレイの第１凹部は、前記トレイが前記ハウジングに進出したときに前記カードの移動を阻止する後縁と、前記トレイが前記ハウジングから後退したときに前記カードの移動を阻止する前縁と、を有し、
前記コンタクトは、前記トレイが前記ハウジングから所定の位置まで引き出されて、前記後縁が前記カードの後端縁から離間するように、当該トレイが撓まされたときに、前記カードが前記ハウジングから飛び出す力を前記カードの前端縁に付勢する弾性斜片を有するトレイタイプのカード用コネクタ。
【請求項２】
前記カードは、誤装着を防止するための切り欠き斜辺を後端縁側の一方の隅部に有し、
前記トレイは、前記接続端子を設ける前記カードの一方の面が当該第１凹部の底面と対向するように、前記切り欠き斜辺に係合して前記カードの装着の向きを規定する第１斜辺壁を前記第１凹部の後縁の隅部に有する請求項１記載のトレイタイプのカード用コネクタ。
【請求項３】
前記カードは、誤装着を防止するための切り欠き斜辺を後端縁側の一方の隅部に有し、
前記トレイは、前記接続端子を設ける前記カードの一方の面が当該第１凹部の底面と反対側に配置されるように、前記切り欠き斜辺に係合して前記カードの装着の向きを規定する第２斜辺壁を前記第１凹部の後縁の隅部に有する請求項１記載のトレイタイプのカード用コネクタ。
【発明の詳細な説明】
【技術分野】
【０００１】
本発明は、トレイタイプのカード用コネクタに関する。特に、ＳＩＭ（Ｓｕｂｓｃｒｉｂｅｒ  Ｉｄｅｎｔｉｔｙ  Ｍｏｄｕｌｅ：加入者識別モジュール）カードなどのメモリカードと電気的に接続するトレイタイプのコネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
近年においては、携帯電話機には、情報管理用のメモリカードと記録用のメモリカードとが搭載されている。前者の情報管理用のメモリカードは、例えばＳＩＭカードであり、後者の記録用のメモリカードは、例えばＳＤ（Ｓｅｃｕｒｅ  Ｄｉｇｉｔａｌ）カードである。
【０００４】
ＳＩＭカードには、携帯電話会社と契約した契約者情報が記録されている。そして、ＳＩＭカードを携帯電話機に差し込むと、利用者を識別できる。つまり、ＳＩＭカードを差し替えることにより、同じ契約者扱いで機種の異なる携帯電話機を利用できる。
【０００５】
一般に、ＳＩＭカードの一方の面上には、複数の接続端子が露出している。そして、ＳＩＭカード用コネクタに備わるベローズ形のコンタクトがこれらの接続端子を付勢することにより、ＳＩＭカードとカード用コネクタとが電気的に接続している。
【０００６】
前述したカード用コネクタとしては、トレイへのカードの出し入れを容易にすると共に、カードが入っていないトレイをコネクタへ収容した時に、イジェクト機構を動作させないトレイタイプのカード用コネクタが開示されている（例えば、特許文献１参照）。
【０００７】
特許文献１によるカード用コネクタは、凹部を形成したハウジング、ハウジングの凹部を覆うカバー、カードを収容して凹部を進退可能なトレイ、及びカードを排出するイジェクト機構を備えている。そして、イジェクト機構は、トレイにカードが収容されているときのみ、カードに追従して移動可能なスライダを有している。
【０００８】
又、前述したカード用コネクタとしては、携帯電話機などの側面に設けた開閉蓋の内側に配設されたトレイタイプのカード用コネクタであって、カード用コネクタの小型化を図ることができると共に、トレイの出し入れの操作性に優れたトレイタイプのカード用コネクタが開示されている（例えば、特許文献２参照）。
【０００９】
特許文献２によるカード用コネクタは、携帯電話機などの側面に設けた開閉蓋の内側に配設され、カードを収容するトレイと、カードが収容されたトレイを開閉蓋が開いた状態でトレイをスライド可能に保持するコネクタ本体とを備え、トレイは、開閉蓋を開く動作に伴ってコネクタ本体から引き出されると共に、開閉蓋を閉じる動作に伴ってコネクタ本体に押し込まれるように構成されている。
【先行技術文献】
【特許文献】
【００１０】
【特許文献１】特開２００６−３５１４２６号公報
【特許文献２】特開２００９−８１０２２号公報
【発明の概要】
【発明が解決しようとする課題】
【００１１】
しかし、特許文献１によるカード用コネクタは、イジェクト機構を備えているので、外形寸法を大きなものとしている。したがって、イジェクト機構付きのカード用コネクタは、近年の携帯電話機などのように、小型化及び薄型化が求められる携帯型情報機器に搭載するには適切でない。
【００１２】
一方、特許文献２によるカード用コネクタは、構成が簡易であり、外形寸法を小さなものとしている。したがって、特許文献２によるカード用コネクタは、小型化及び薄型化が求められる携帯型情報機器に搭載するのに適している。
【００１３】
しかし、特許文献２によるカード用コネクタは、トレイを引き出すための爪を開閉蓋の内側に設ける必要があるなど、携帯型情報機器の設計の自由度が制約される、という問題がある。
【００１４】
更に、特許文献２によるカード用コネクタは、カードの端部の表面を指先で押さえつけて、トレイからカードを引き出す必要がある。このため、指で押え付ける領域が狭い場合や指先が乾燥している場合は、トレイからカードを取り出すことが困難である、という問題がある。
【００１５】
簡易な構成のトレイタイプのカード用コネクタであって、トレイからカードを取り出すことが容易なカード用コネクタが実現できれば、携帯型情報機器の小型化が図れると共に、カードの取り出しが容易になって便利である。そして、以上のことが本発明の課題といってよい。
【００１６】
本発明は、このような問題に鑑みてなされたものであり、簡易な構成のトレイタイプのカード用コネクタであって、トレイからカードを取り出すことが容易なトレイタイプのカード用コネクタを提供することを目的とする。
【課題を解決するための手段】
【００１７】
本発明者らは、コネクタ本体からトレイを引き出して、トレイを撓ませたときに、コンタクトの付勢力でカードが飛び出すように、カード用コネクタを構成することにより、トレイからカードを取り出すことが容易なことを見出し、これに基づいて、以下のような新たなトレイタイプのカード用コネクタを発明するに至った。
【００１８】
（１）  カードが載置される略方形の第１凹部を有する平板状のトレイと、プリント基板の端部に配置され、前記トレイが進退可能な第２凹部を有する平板状のハウジングと、このハウジングの第２凹部を覆うカバー板と、前記ハウジングに配列され、前記カードの一方の面に設けた接続端子と前記プリント基板とを電気的に接続する複数の片持ち状のコンタクトと、を備え、前記トレイの第１凹部は、前記トレイが前記ハウジングに進出したときに前記カードの移動を阻止する後縁と、前記トレイが前記ハウジングから後退したときに前記カードの移動を阻止する前縁と、を有し、前記コンタクトは、前記トレイが前記ハウジングから所定の位置まで引き出されて、前記後縁が前記カードの後端縁から離間するように、当該トレイが撓まされたときに、前記カードが前記ハウジングから飛び出す力を前記カードの前端縁に付勢する弾性斜片を有するトレイタイプのカード用コネクタ。
【００１９】
（１）の発明によるトレイタイプのカード用コネクタは、平板状のトレイ、平板状のハウジング、カバー板、及び複数の片持ち状のコンタクトを備えている。トレイは、カードが載置される略方形の第１凹部を有している。ハウジングは、プリント基板の端部に配置され、トレイが進退可能な第２凹部を有している。カバー板は、ハウジングの第２凹部を覆っている。コンタクトは、ハウジングに配列され、カードの一方の面に設けた接続端子とプリント基板とを電気的に接続している。
【００２０】
トレイの第１凹部は、後縁と前縁を有している。後縁は、トレイがハウジングに進出したときに、カードの移動を阻止している。前縁は、ハウジングから後退したときに、カードの移動を阻止している。
【００２１】
コンタクトは、弾性斜片を有している。この弾性斜片は、トレイがハウジングから所定の位置まで引き出されて、後縁がカードの後端縁から離間するように、トレイが撓まされたときに、カードがハウジングから飛び出す力をカードの前端縁に付勢している。
【００２２】
トレイは、厚さ方向に曲げ変形（たわみ）が容易な弾性部材からなることが好ましく、絶縁性を有する合成樹脂を成形して、所望の形状のトレイを得てもよく、導電性を有する金属板を加工して、所望の形状のトレイを得てもよい。
【００２３】
ハウジングは、絶縁性を有している。絶縁性のハウジングとは、非導電性の材料からなるハウジングのことであってよく、合成樹脂を成形して、所望の形状の絶縁性のハウジングを得ることができる。
【００２４】
ハウジングには、トレイの両側面を案内する一対の対向する側壁を設けることが好ましく、これらの側壁で囲まれた空間をトレイが進退可能な第２凹部とすることができる。トレイの前部に当接して、トレイの進出を停止させる停止壁を第２凹部に設けてもよく、この停止壁をカバー板に設けてもよい。第２凹部にトレイが進退するとは、トレイにカードを載置して、このトレイをカードと共にハウジングに進出、又はハウジングから後退できることを意味している。
【００２５】
プリント基板は、硬質のリジッド基板を含み、片面のみにパターンがある片面基板を含むことができ、両面にパターンがある両面基板を含むことができ、絶縁体とパターンを積み重ねた多層基板を含むことができる。
【００２６】
ハウジングがプリント基板の端部に配置されるとは、プリント基板に対して、このカード用コネクタとカードの結合方向が水平になるように取り付ける、水平取付形コネクタであることを意味している。水平取付形コネクタは、サイドコネクタとも呼ばれ、プリント基板への実装高さを低くできることから、薄型化が求められる携帯型情報機器に搭載するのに適している。
【００２７】
カバー板は、導電性の金属板からなることが好ましく、展開された金属を成形して所望の形状の導電性のカバー板を得ることができる。カバー板は、カードを包囲して不要な電磁波か防護するシールド板として機能でき、第２凹部を覆って、カード用コネクタの外殻を構成する導電性のシェルとして機能することもできる。
【００２８】
カードの一方の面とは、接続端子となる区画されたパターンが露出している面を示し、コンタクトに付勢されたカード及びトレイが板厚方向の移動をカバー板に規制されて、コンタクトに所定の接触圧を得させることができる。
【００２９】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００３０】
コンタクトは、ベローズ形コンタクト、又はカンチレバーコンタクトと呼ばれる、片持ち状の板ばねからなっている。コンタクトは、ハウジングに固定される固定片を有し、この固定片は、ハウジングに圧入される形態を含み、この固定片は、ハウジングにモールドされる一体成形の形態を含むことができる。固定片には、プリント基板にハンダ接合されるリード部を形成することが好ましい。
【００３１】
弾性斜片は、固定片から上り傾斜するように延びる弾性片となっている。又、弾性斜片は、カードの接続端子に接触する接点を頂き部に設けている。トレイをハウジングに進出させると、カードに押されて弾性斜片が傾倒し、弾性斜片の反力（弾性復帰力）で接点が所定の接触圧をカードの接続端子に付与することができる。
【００３２】
（１）の発明によるトレイタイプのカード用コネクタは、トレイ、ハウジング、カバー板、及び複数のコンタクトを備え、構成が簡易である。又、（１）の発明によるトレイタイプのカード用コネクタは、小型化及び薄型化が求められる携帯型情報機器に搭載するのに適している。
【００３３】
（１）の発明によるトレイタイプのカード用コネクタは、コンタクトが弾性斜片を有し、この弾性斜片は、トレイがハウジングから所定の位置まで引き出されて、トレイの後縁がカードの後端縁から離間するように、トレイが撓まされたときに、カードがハウジングから飛び出す力をカードの前端縁に付勢している。したがって、トレイからカードを取り出すことが容易である。
【００３４】
（２）  前記カードは、誤装着を防止するための切り欠き斜辺を後端縁側の一方の隅部に有し、前記トレイは、前記接続端子を設ける前記カードの一方の面が当該第１凹部の底面と対向するように、前記切り欠き斜辺に係合して前記カードの装着の向きを規定する第１斜辺壁を前記第１凹部の後縁の隅部に有する（１）記載のトレイタイプのカード用コネクタ。
【００３５】
（２）の発明によるトレイタイプのカード用コネクタは、接続端子を設けるカードの一方の面がトレイの第１凹部の底面と対向するように配置される、いわゆる、ノーマルタイプのカード用コネクタに適している。
【００３６】
（３）  前記カードは、誤装着を防止するための切り欠き斜辺を後端縁側の一方の隅部に有し、前記トレイは、前記接続端子を設ける前記カードの一方の面が当該第１凹部の底面と反対側に配置されるように、前記切り欠き斜辺に係合して前記カードの装着の向きを規定する第２斜辺壁を前記第１凹部の後縁の隅部に有する（１）記載のトレイタイプのカード用コネクタ。
【００３７】
（３）の発明によるトレイタイプのカード用コネクタは、接続端子を設けるカードの一方の面がトレイの第１凹部の底面と反対側に配置される、いわゆる、リバースタイプのカード用コネクタに適している。
【発明の効果】
【００３８】
本発明によるトレイタイプのカード用コネクタは、構成が簡易であり、トレイを引き出して、トレイの後端部を撓ますと、カードがハウジングから飛び出すので、カードの取り出しが容易になって便利である。
【００３９】
又、本発明によるトレイタイプのカード用コネクタは、ノーマルタイプ用のトレイとリバースタイプ用のトレイとを変えるだけでよく、ハウジング、カバー板、及び複数のコンタクトで構成される本体を共用できるというメリットがある。
【図面の簡単な説明】
【００４０】
【図１】本発明の一実施形態によるトレイタイプのカード用コネクタの構成を示す斜視図であり、ノーマルタイプのカード用コネクタを示している。
【図２】前記実施形態によるトレイタイプのカード用コネクタに備わるノーマルタイプ用のトレイの外観を示す斜視図である。
【図３】前記実施形態によるトレイタイプのカード用コネクタの構成を示す斜視図であり、ノーマルタイプ用のトレイが引き出された状態図である。
【図４】前記実施形態によるトレイタイプのカード用コネクタの構成を示す斜視図であり、リバースタイプのカード用コネクタを示している。
【図５】前記実施形態によるトレイタイプのカード用コネクタに備わるリバースタイプ用のトレイの外観を示す斜視図である。
【図６】前記実施形態によるトレイタイプのカード用コネクタの構成を示す斜視図であり、リバースタイプ用のトレイが引き出された状態図である。
【図７】前記実施形態によるトレイタイプのカード用コネクタの本体の構成を示す斜視分解組立図であり、トレイの図示を省略している。
【図８】前記実施形態によるトレイタイプのカード用コネクタの本体の構成を示す図であり、図８（Ａ）は、本体の平面図、図８（Ｂ）は、本体の正面図、図８（Ｃ）は、本体の右側面図、図８（Ｄ）は、本体の下面図である。
【図９】前記実施形態によるトレイタイプのカード用コネクタの縦断面図であり、図９（Ａ）は、ノーマルタイプ用のトレイが本体に挿入された状態図、図９（Ｂ）は、ノーマルタイプ用のトレイが本体から引き出された状態図、図９（Ｃ）は、ノーマルタイプ用のトレイの後端部を撓ませた状態図、図９（Ｄ）は、図９（Ｃ）の状態からカードが飛び出した状態を示す状態変化図である。
【発明を実施するための形態】
【００４１】
以下、図面を参照して本発明を実施するための形態を説明する。
【００４２】
［トレイタイプのカード用コネクタの構成］
（ノーマルタイプのカード用コネクタの構成）
最初に、本発明の一実施形態によるトレイタイプのカード用コネクタの構成を説明する。そして、ノーマルタイプのカード用コネクタの構成を先に説明する。
【００４３】
図１は、本発明の一実施形態によるトレイタイプのカード用コネクタの構成を示す斜視図であり、ノーマルタイプのカード用コネクタを示している。図２は、前記実施形態によるトレイタイプのカード用コネクタに備わるノーマルタイプ用のトレイの外観を示す斜視図である。図３は、前記実施形態によるトレイタイプのカード用コネクタの構成を示す斜視図であり、ノーマルタイプ用のトレイが引き出された状態図である。
【００４４】
又、図４は、前記実施形態によるトレイタイプのカード用コネクタの構成を示す斜視図であり、リバースタイプのカード用コネクタを示している。図５は、前記実施形態によるトレイタイプのカード用コネクタに備わるリバースタイプ用のトレイの外観を示す斜視図である。図６は、前記実施形態によるトレイタイプのカード用コネクタの構成を示す斜視図であり、リバースタイプ用のトレイが引き出された状態図である。
【００４５】
更に、図７は、前記実施形態によるトレイタイプのカード用コネクタの本体の構成を示す斜視分解組立図であり、トレイの図示を省略している。図８は、前記実施形態によるトレイタイプのカード用コネクタの本体の構成を示す図であり、図８（Ａ）は、本体の平面図、図８（Ｂ）は、本体の正面図、図８（Ｃ）は、本体の右側面図、図８（Ｄ）は、本体の下面図である。
【００４６】
図１から図３を参照すると、本発明の一実施形態によるトレイタイプのカード用コネクタ（以下、コネクタと略称する）１０は、平板状のノーマルタイプ用のトレイ２、平板状のハウジング４、及びカバー板５を備えている。
【００４７】
又、図４又は図７を参照すると、コネクタ１０は、ハウジング４の前列に配置された四つの片持ち状のコンタクト６１、及びハウジング４の後列に配置された三つの片持ち状のコンタクト６２を備えている。これらのコンタクト６１・６２は、カード１の一方の面１１に設けた接続端子１ａとプリント基板１ｐとを電気的に接続している。
【００４８】
図１から図３及び図７を参照すると、トレイ２は、カード１が載置される略方形の第１凹部２１を有している。ハウジング４は、プリント基板１ｐの端部に配置されている。又、ハウジング４は、トレイ２が進退可能な第２凹部４２を有している。カバー板５は、ハウジング４の第２凹部４２を覆っている。
【００４９】
図１から図３を参照すると、トレイ２の第１凹部２１は、部分的に形成された後縁２１ａと、離間した一対の前縁２１ｂ・２１ｂを有している。後縁２１ａは、トレイ２がハウジング４の内部に進出したときに、カード１の移動を阻止している。一対の前縁２１ｂ・２１ｂは、ハウジング４から後退したときに、カード１の移動を阻止している。
【００５０】
図１から図３を参照すると、カード１は、誤装着を防止するための切り欠き斜辺１ｂを後端縁１３ａ側の一方の隅部に有している。一方、トレイ２は、第１斜辺壁２ｂを第１凹部２１の後縁２１ａの隅部に有している。第１斜辺壁２ｂは、切り欠き斜辺１ｂに係合して、カード１の装着の向きを規定できる。
【００５１】
図１から図３を参照すると、図示されたコネクタ１０は、接続端子１ａを設けるカード１の一方の面１１がトレイ２の第１凹部２１の底面と対向するように配置される、いわゆる、ノーマルタイプのカード用コネクタとなっている。
【００５２】
図１から図３を参照すると、トレイ２は、第１凹部２１に載置されたカード１を指で持ち上げるための切り欠き部２２を後縁２１ａ側に形成している。又、トレイ２は、ハウジング４の内部に進出させたときに、複数のコンタクト６１・６２を逃げる逃げ部２３を前縁２１ｂ側に形成している。更に、トレイ２の両側面には、ハウジング４の内部に進出させたときに、ハウジング４に当接して、トレイ２の押し込み深さを規定する、一対の段差２４・２４を形成している。
【００５３】
（リバースタイプのカード用コネクタの構成）
次に、リバースタイプのカード用コネクタの構成を説明する。なお、以下の説明において、図１から図３で説明した構成品の符号と同じ符号の構成品は、それらの作用を同一とするので、説明を割愛する場合がある。
【００５４】
図４から図６を参照すると、コネクタ１０は、平板状のリバースタイプ用のトレイ３、平板状のハウジング４、及びカバー板５を備えている。トレイ３は、カード１が載置される略方形の第１凹部３１を有している。ハウジング４は、プリント基板１ｐの端部に配置されている。又、ハウジング４は、トレイ３が進退可能な第２凹部４２を有している（図７参照）。
【００５５】
又、図４又は図６を参照すると、コネクタ１０は、ハウジング４の前列に配置された四つの片持ち状のコンタクト６１、及びハウジング４の後列に配置された三つの片持ち状のコンタクト６２を備えている。これらのコンタクト６１・６２は、カード１の一方の面１１に設けた接続端子１ａとプリント基板１ｐとを電気的に接続している。
【００５６】
図４から図６を参照すると、トレイ３の第１凹部３１は、部分的に形成された後縁３１ａと、離間した一対の前縁３１ｂ・３１ｂを有している。後縁３１ａは、トレイ３がハウジング４の内部に進出したときに、カード１の移動を阻止している。一対の前縁３１ｂ・３１ｂは、ハウジング４から後退したときに、カード１の移動を阻止している。
【００５７】
図４から図６を参照すると、カード１は、誤装着を防止するための切り欠き斜辺１ｂを後端縁１３ａ側の一方の隅部に有している。一方、トレイ３は、第２斜辺壁３ｂを第１凹部３１の後縁３１ａの隅部に有している。第２斜辺壁３ｂは、切り欠き斜辺１ｂに係合して、カード１の装着の向きを規定できる。
【００５８】
図４から図６を参照すると、図示されたコネクタ１０は、接続端子１ａを設けるカード１の一方の面１１がトレイ３の第１凹部３１の底面と反対側に配置される、いわゆる、リバースタイプのカード用コネクタとなっている。
【００５９】
図４から図６を参照すると、トレイ３は、第１凹部３１に載置されたカード１を指で持ち上げるための切り欠き部３２を後縁３１ａ側に形成している。又、トレイ３の両側面には、ハウジング４の内部に進出させたときに、ハウジング４に当接して、トレイ３の押し込み深さを規定する、一対の段差３４・３４を形成している。
【００６０】
（カード用コネクタの本体の構成）
次に、実施形態によるコネクタ１０の本体１０Ｂの構成を説明する。図７又は図８を参照すると、本体１０Ｂは、ハウジング４、カバー板５、及び複数のコンタクト６１・６２で構成されている。
【００６１】
図１を参照すると、本体１０Ｂは、プリント基板１ｐの一方の面１１ｐに実装することができる。又、図４を参照すると、本体１０Ｂは、プリント基板１ｐの他方の面１２ｐに実装することもできる。本体１０Ｂは、プリント基板１ｐへの実装形態によって、ノーマルタイプのカード用コネクタとすることができ（図１参照）、リバースタイプのカード用コネクタとすることもできる（図４参照）。
【００６２】
図２又は図７を参照すると、ハウジング４には、トレイ２の両側面２１ｃ・２１ｃを案内する一対の対向する側壁４１・４１を設けている。これらの側壁４１・４１は、トレイ３の両側面３１ｃ・３１ｃを案内することもできる（図５参照）。そして、これらの側壁４１・４１で囲まれた空間をトレイ２又はトレイ３が進退可能な第２凹部４２とした。
【００６３】
図１を参照すると、カバー板５で囲われた開口（スロット）からカード１を載置したトレイ２を挿入できる。同様に、図４を参照すると、カバー板５で囲われた開口（スロット）からカード１を載置したトレイ３を挿入できる。
【００６４】
図７又は図８を参照すると、カバー板５は、第２凹部４２と対向する面積の大きい主面板５０を有している。又、カバー板５は、主面板５０の両翼を略直角に折り曲げた一対の対向する折り曲げ片５１・５１を有している。
【００６５】
図７又は図８を参照すると、一対の折り曲げ片５１・５１には、一組の係止孔５１ａ・５１ａを開口している。一方、ハウジング４には、一組の係合突起４１ａ・４１ａを設けている。そして、係合突起４１ａに係止孔５１ａを係合して、カバー板５をハウジング４に係止している。
【００６６】
図７又は図８を参照すると、カバー板５は、対向する一対の片持ち状の板ばね片５１ｂ・５１ｂを有している。これらの板ばね片５１ｂ・５１ｂは、トレイ２の両側面２１ｃ・２１ｃを挟持している（図２参照）。又、これらの板ばね片５１ｂ・５１ｂは、トレイ３の両側面３１ｃ・３１ｃを挟持することもできる（図５参照）。
【００６７】
図２又は図７を参照すると、トレイ２の両側面２１ｃ・２１ｃの前縁２１ｂ側には、一対の窪み２１ｄ・２１ｄを形成している。トレイ２を本体１０Ｂから引き出して、一対の板ばね片５１ｂ・５１ｂの屈曲部が一対の窪み２１ｄ・２１ｄに陥没すると、トレイ２のそれ以上の引き出しを困難としている。
【００６８】
同様に、図５又は図７を参照すると、トレイ３の両側面３１ｃ・３１ｃの前縁３１ｂ側には、一対の窪み３１ｄ・３１ｄを形成している。トレイ３を本体１０Ｂから引き出して、一対の板ばね片５１ｂ・５１ｂの屈曲部が一対の窪み３１ｄ・３１ｄに陥没すると、トレイ３のそれ以上の引き出しを困難としている。
【００６９】
図７又は図８を参照すると、コンタクト６１は、固定片６ａ、弾性変形が可能な弾性斜片６ｂ、及び延在片６ｃを有している。同様に、コンタクト６２は、固定片６ａ、弾性変形が可能な弾性斜片６ｂ、及び延在片６ｃを有している。又、コンタクト６１の弾性斜片６ｂ及び延在片６ｃは、固定片６ａから二股に分岐している。同様に、コンタクト６２の弾性斜片６ｂ及び延在片６ｃは、固定片６ａから二股に分岐している。
【００７０】
図７又は図８を参照すると、コンタクト６１の固定片６ａは、ハウジング４に固定されている。コンタクト６１の固定片６ａは、その一部がハウジング４の前方に突出して、プリント基板１ｐにハンダ接合されるリード部６１ｆを形成している。
【００７１】
図７又は図８を参照すると、コンタクト６２の固定片６ａは、ハウジング４に固定されている。コンタクト６２の固定片６ａは、その一部がハウジング４の後方に突出して、プリント基板１ｐにハンダ接合されるリード部６２ｒを形成している。又、コンタクト６２の固定片６ａは、その一部がハウジング４の前方に突出して、プリント基板１ｐにハンダ接合されるリード部６２ｆを形成している。そして、リード部６１ｆとリード部６２ｆは、交互に一列に配置されている。
【００７２】
図７又は図８を参照すると、コンタクト６１とコンタクト６２とは、固定片６ａ、弾性斜片６ｂ、及び延在片６ｃで構成される本体部が同じであるので、以下、コンタクト６２を代表して説明する。
【００７３】
図７を参照すると、弾性斜片６ｂは、固定片６ａから上り傾斜するように延びる弾性片となっている。又、弾性斜片６ｂは、カード１の接続端子１ａに接触する接点を延在片６ｃの頂き部に設けている。トレイ２又はトレイ３をハウジング４に進出させると、カード１に押されて弾性斜片６ｂが傾倒し、弾性斜片６ｂの反力（弾性復帰力）で接点が所定の接触圧をカード１の接続端子１ａに付与することができる。
【００７４】
［トレイタイプのカード用コネクタの作用］
次に、実施形態によるコネクタ１０の動作を説明しながら、コネクタ１０の作用及び効果を説明する。
【００７５】
図９は、前記実施形態によるトレイタイプのカード用コネクタの縦断面図であり、図９（Ａ）は、ノーマルタイプ用のトレイが本体に挿入された状態図、図９（Ｂ）は、ノーマルタイプ用のトレイが本体から引き出された状態図、図９（Ｃ）は、ノーマルタイプ用のトレイの後端部を撓ませた状態図、図９（Ｄ）は、図９（Ｃ）の状態からカードが飛び出した状態を示す状態変化図である。
【００７６】
図９（Ａ）を参照すると、トレイ２が本体１０Ｂに挿入され、複数のコンタクト６１・６２は、カード１の一方の面１１に設けた接続端子１ａとプリント基板１ｐとを電気的に接続している。
【００７７】
図９（Ａ）の状態から、図９（Ｂ）に示されるように、トレイ２を本体１０Ｂから終端（所定の位置）まで引き出すと、複数のコンタクト６１・６２とカード１の接続端子１ａとの接続が解除されている。
【００７８】
図９（Ｂ）に示された状態では、後列のコンタクト６２の弾性斜片６ｂは、カード１が本体１０Ｂから飛び出す力をカード１の前端縁１３ｂに付勢している。一方、カード１の後端縁１３ａは、トレイ２の後縁２１ａに係止されているので、カード１の移動は困難である。
【００７９】
図９（Ｂ）に示された状態から、トレイ２の後縁２１ａがカード１の後端縁１３ａから離間するように、トレイ２の後縁２１ａを指など押して、トレイ２を撓ますと（図９（Ｃ）参照）、カード１を飛び出させることができる（図９（Ｄ）参照）。そして、トレイ２からカード１を容易に取り出すことができる。
【００８０】
なお、リバースタイプ用のトレイ３を備えるコネクタ１０も前述と同様に動作するので、リバースタイプ用のトレイ３を備えるコネクタ１０の動作の説明は、省略する。
【００８１】
以上のように、実施形態によるコネクタ１０は、トレイ、ハウジング、カバー板、及び複数のコンタクトを備え、構成が簡易である。そして、実施形態によるコネクタ１０は、小型化及び薄型化が求められる携帯型情報機器に搭載するのに適している。
【００８２】
又、実施形態によるコネクタ１０は、構成が簡易であり、トレイを引き出して、トレイの後端部を撓ますと、カードがハウジングから飛び出すので、カードの取り出しが容易になって便利である。
【００８３】
更に、実施形態によるコネクタ１０は、ノーマルタイプ用のトレイとリバースタイプ用のトレイとを変えるだけでよく、ハウジング、カバー板、及び複数のコンタクトで構成される本体を共用できるというメリットがある。
【符号の説明】
【００８４】
１  カード
１ａ  接続端子
１ｐ  プリント基板
２  トレイ（ノーマルタイプ用のトレイ）
３  トレイ（リバースタイプ用のトレイ）
４  ハウジング
５  カバー板
６ｂ  弾性斜片
１０  コネクタ（トレイタイプのカード用コネクタ）
１３ａ  後端縁（カード１の後端縁）
１３ｂ  前端縁（カード１の前端縁）
２１ａ  後縁（トレイ２の後縁）
２１ｂ  前縁（トレイ２の前縁）
２１・３１  第１凹部
３１ａ  後縁（トレイ３の後縁）
３１ｂ  前縁（トレイ３の前縁）
４２  第２凹部
６１・６２  コンタクト
【図１】
0005480002.tif 000002
【図２】
0005480002.tif 000003
【図３】
0005480002.tif 000004
【図４】
0005480002.tif 000005
【図５】
0005480002.tif 000006
【図６】
0005480002.tif 000007
【図７】
0005480002.tif 000008
【図８】
0005480002.tif 000009
【図９】
0005480002.tif 000010